(57)【要約】【課題】この発明は、予め所定の配列で表示されている複数個の入力欄に数字または文字等を順次入力していく際、予め設定した数字または文字等を複数の入力欄に一括入力することを可能として、ユーザの操作を容易化し実用に十分に適するようにした入力支援装置及び入力支援方法を提供することを目的としている。【解決手段】先頭または末尾の入力欄（ａ，ｇ）が選択された状態で、さらに先頭方向または末尾方向への選択が要求されたとき、末尾または先頭の入力欄（ｇ，ａ）を選択するとともに、空欄となっている全ての入力欄に所定の数字、文字または符号を自動的に一括表示させる支援手段（２５ｃ）を備える。【選択図】    図４
2011028511.tif 000002
【特許請求の範囲】
【請求項１】
先頭となる入力欄と末尾となる入力欄とを含む複数の入力欄を表示する表示手段と、
前記表示手段に表示された複数の入力欄を先頭から末尾または末尾から先頭に向けて順次選択する選択手段と、
前記選択手段で選択された入力欄に数字、文字または符号を入力する入力手段と、
先頭の入力欄が選択された状態で、前記選択手段によりさらに先頭方向への選択が要求されたとき、末尾の入力欄を選択するとともに、空欄となっている全ての入力欄に所定の数字、文字または符号を自動的に一括表示させる支援手段とを具備することを特徴とする入力支援装置。
【請求項２】
前記支援手段は、一括表示させる数字、文字または符号を予め設定するための設定手段を備えることを特徴とする請求項１記載の入力支援装置。
【請求項３】
前記支援手段は、先頭の入力欄に表示された数字、文字または符号を一括表示させることを特徴とする請求項１記載の入力支援装置。
【請求項４】
前記入力手段は、前記選択手段で選択された入力欄に表示されている数字、文字または符号を空欄に戻す入力を可能とし、
前記支援手段は、選択された末尾の入力欄が空欄に戻された状態で、前記選択手段によりさらに末尾方向への選択が要求されたとき、先頭の入力欄を選択するとともに、末尾の入力欄が選択されたときに所定の数字、文字または符号が一括表示された全ての入力欄を空欄に戻すことを特徴とする請求項３記載の入力支援装置。
【請求項５】
先頭となる入力欄と末尾となる入力欄とを含む複数の入力欄を表示する表示手段と、
前記表示手段に表示された複数の入力欄を先頭から末尾または末尾から先頭に向けて順次選択する選択手段と、
前記選択手段で選択された入力欄に数字、文字または符号を入力する入力手段と、
末尾の入力欄が選択された状態で、前記選択手段によりさらに末尾方向への選択が要求されたとき、先頭の入力欄を選択するとともに、空欄となっている全ての入力欄に所定の数字、文字または符号を自動的に一括表示させる支援手段とを具備することを特徴とする入力支援装置。
【請求項６】
前記支援手段は、一括表示させる数字、文字または符号を予め設定するための設定手段を備えることを特徴とする請求項５記載の入力支援装置。
【請求項７】
前記支援手段は、末尾の入力欄に表示された数字、文字または符号を一括表示させることを特徴とする請求項５記載の入力支援装置。
【請求項８】
前記入力手段は、前記選択手段で選択された入力欄に表示されている数字、文字または符号を空欄に戻す入力を可能とし、
前記支援手段は、選択された先頭の入力欄が空欄に戻された状態で、前記選択手段によりさらに先頭方向への選択が要求されたとき、末尾の入力欄を選択するとともに、先頭の入力欄が選択されたときに所定の数字、文字または符号が一括表示された全ての入力欄を空欄に戻すことを特徴とする請求項７記載の入力支援装置。
【請求項９】
先頭となる入力欄と末尾となる入力欄とを含む複数の入力欄を表示する工程と、
表示された複数の入力欄を先頭から末尾または末尾から先頭に向けて順次選択する工程と、
選択された入力欄に数字、文字または符号を入力する工程と、
先頭の入力欄が選択された状態で、さらに先頭方向への選択が要求されたとき、末尾の入力欄を選択するとともに、空欄となっている全ての入力欄に所定の数字、文字または符号を自動的に一括表示させる工程と、
末尾の入力欄が選択された状態で、さらに末尾方向への選択が要求されたとき、先頭の入力欄を選択するとともに、空欄となっている全ての入力欄に所定の数字、文字または符号を自動的に一括表示させる工程とを有することを特徴とする入力支援方法。
【発明の詳細な説明】
【技術分野】
【０００１】
この発明は、予め所定の配列で表示されている複数個の入力欄に数字または文字等を順次入力していく操作を支援するための入力支援装置及び入力支援方法に関する。
【背景技術】
【０００２】
周知のように、近年では、デジタル放送が主流になってきている。そして、このデジタル放送では、特にそのデータ放送の受信時に、ユーザが、特定地域の情報を入手するためにその地域の郵便番号を入力したり、視聴者宛の質問に回答するために複数の番号や文字等を入力したりする場合が多々ある。
【０００３】
この場合、ユーザは、画面上に予め所定の配列で表示される複数個の入力欄に、数字または文字等を順次入力していくことになる。しかしながら、例えば同じ数字または文字等が続く場合であっても、それぞれの入力欄毎に１つ１つ入力していく必要があり、ユーザにとっての操作が非常に煩雑になっているのが現状である。
【０００４】
特許文献１には、回転手段とジョイスティック手段とを備えた入力手段を備え、回転手段の操作によりデータ入力のための情報を子画面に順次表示させ、ジョイスティック手段によりデータの入力確定を行なうことで、数字ボタンを持たないリモートコントローラでの数字入力を実現するようにした技術が開示されている。
【先行技術文献】
【特許文献】
【０００５】
【特許文献１】特開２００６−２３７８３０号公報
【発明の概要】
【発明が解決しようとする課題】
【０００６】
そこで、この発明は上記事情を考慮してなされたもので、予め所定の配列で表示されている複数個の入力欄に数字または文字等を順次入力していく際、予め設定した数字または文字等を複数の入力欄に一括入力することを可能として、ユーザの操作を容易化し実用に十分に適するようにした入力支援装置及び入力支援方法を提供することを目的とする。
【課題を解決するための手段】
【０００７】
この発明に係る入力支援装置は、先頭となる入力欄と末尾となる入力欄とを含む複数の入力欄を表示する表示手段と、表示手段に表示された複数の入力欄を先頭から末尾または末尾から先頭に向けて順次選択する選択手段と、選択手段で選択された入力欄に数字、文字または符号を入力する入力手段と、先頭の入力欄が選択された状態で、選択手段によりさらに先頭方向への選択が要求されたとき、末尾の入力欄を選択するとともに、空欄となっている全ての入力欄に所定の数字、文字または符号を自動的に一括表示させる支援手段とを備えるようにしたものである。
【０００８】
また、この発明に係る入力支援装置は、先頭となる入力欄と末尾となる入力欄とを含む複数の入力欄を表示する表示手段と、表示手段に表示された複数の入力欄を先頭から末尾または末尾から先頭に向けて順次選択する選択手段と、選択手段で選択された入力欄に数字、文字または符号を入力する入力手段と、末尾の入力欄が選択された状態で、選択手段によりさらに末尾方向への選択が要求されたとき、先頭の入力欄を選択するとともに、空欄となっている全ての入力欄に所定の数字、文字または符号を自動的に一括表示させる支援手段とを備えるようにしたものである。
【０００９】
さらに、この発明に係る入力支援方法は、先頭となる入力欄と末尾となる入力欄とを含む複数の入力欄を表示する工程と、表示された複数の入力欄を先頭から末尾または末尾から先頭に向けて順次選択する工程と、選択された入力欄に数字、文字または符号を入力する工程と、先頭の入力欄が選択された状態で、さらに先頭方向への選択が要求されたとき、末尾の入力欄を選択するとともに、空欄となっている全ての入力欄に所定の数字、文字または符号を自動的に一括表示させる工程と、末尾の入力欄が選択された状態で、さらに末尾方向への選択が要求されたとき、先頭の入力欄を選択するとともに、空欄となっている全ての入力欄に所定の数字、文字または符号を自動的に一括表示させる工程とを有するようにしたものである。
【発明の効果】
【００１０】
上記した発明によれば、先頭または末尾の入力欄が選択された状態で、さらに先頭方向または末尾方向への選択が要求されたとき、末尾または先頭の入力欄を選択するとともに、空欄となっている全ての入力欄に所定の数字、文字または符号を自動的に一括表示させるようにしたので、ユーザの操作を容易化し実用に十分に適するものとなる。
【図面の簡単な説明】
【００１１】
【図１】この発明の実施の形態を示すもので、記録再生装置の信号処理系を説明するために示すブロック構成図。
【図２】同実施の形態における記録再生装置のリモートコントローラを説明するために示す外観図。
【図３】同実施の形態における記録再生装置で表示される数字入力画面の一例を説明するために示す図。
【図４】同実施の形態における記録再生装置の入力支援部を用いて行なわれる数字入力の第１の例を説明するために示す図。
【図５】同実施の形態における記録再生装置の入力支援部を用いて行なわれる数字入力の第２の例を説明するために示す図。
【図６】同実施の形態における記録再生装置の入力支援部を用いて行なわれる数字入力の第３の例を説明するために示す図。
【図７】同実施の形態における記録再生装置の入力支援部を用いて行なわれる数字入力の第４の例を説明するために示す図。
【図８】同実施の形態における記録再生装置の入力支援部を用いて行なわれる数字入力の第５の例を説明するために示す図。
【図９】同実施の形態における記録再生装置で表示される入力指定画面の一例を説明するために示す図。
【図１０】同実施の形態における記録再生装置で表示される数字設定画面の一例を説明するために示す図。
【図１１】同実施の形態における記録再生装置で表示される入力設定画面の一例を説明するために示す図。
【図１２】同実施の形態における記録再生装置の入力支援部が行なう主要な処理動作を説明するために示すフローチャート。
【発明を実施するための最良の形態】
【００１２】
以下、この発明の実施の形態について図面を参照して詳細に説明する。図１は、この実施の形態で説明する記録再生装置１１の信号処理系を示している。この記録再生装置１１は、デジタル放送受信機能を備えている。
【００１３】
すなわち、アンテナ１２で受信したデジタル放送信号は、入力端子１３を介してチューナ部１４に供給されることにより、所望のチャンネルの放送信号が選局される。そして、このチューナ部１４で選局された放送信号は、復調復号部１５に供給されてデジタルの映像信号及び音声信号等に復元された後、信号処理部１６に出力される。
【００１４】
この信号処理部１６は、復調復号部１５から供給されたデジタルの映像信号及び音声信号に対してそれぞれ所定のデジタル信号処理を施している。そして、この信号処理部１６は、デジタルの映像信号をグラフィック処理部１７に出力し、デジタルの音声信号を音声処理部１８に出力している。
【００１５】
このうち、グラフィック処理部１７は、信号処理部１６から供給されるデジタルの映像信号に、ＯＳＤ（on screen display）信号生成部１９で生成されるＯＳＤ信号を重畳して出力する機能を有する。そして、グラフィック処理部１７から出力されたデジタルの映像信号は、映像処理部２０に供給される。
【００１６】
この映像処理部２０は、入力されたデジタルの映像信号を、後段の映像表示部２２で表示可能なフォーマットのアナログ映像信号に変換した後、出力端子２１を介して映像表示部２２に出力して映像表示させる。
【００１７】
また、上記音声処理部１８は、入力されたデジタルの音声信号を、後段のスピーカ２４で再生可能なフォーマットのアナログ音声信号に変換した後、出力端子２３を介してスピーカ２４に出力して音声再生させる。
【００１８】
ここで、この記録再生装置１１は、上記した各種の受信動作を含むその全ての動作を制御部２５によって統括的に制御されている。この制御部２５は、ＣＰＵ（central processing unit）２５ａを内蔵しており、記録再生装置１１の本体に設置された操作部２６からの操作情報、または、リモートコントローラ２７から送出され受信部２８で受信した操作情報を受けて、その操作内容が反映されるように各部をそれぞれ制御している。
【００１９】
この場合、制御部２５は、メモリ部２５ｂを利用している。このメモリ部２５ｂは、主として、ＣＰＵ２５ａが実行する制御プログラムを格納したＲＯＭ（read only memory）と、該ＣＰＵ２５ａに作業エリアを提供するためのＲＡＭ（random access memory）と、各種の設定情報及び制御情報等が格納される不揮発性メモリとを有している。
【００２０】
また、この制御部２５には、ディスクドライブ部２９が接続されている。このディスクドライブ部２９は、例えばＤＶＤ（digital versatile disk）等の光ディスク３０を着脱自在とするもので、装着された光ディスク３０に対してデジタルデータの記録再生を行なう機能を有している。
【００２１】
そして、上記制御部２５は、ユーザによる操作部３５やリモートコントローラ３６の操作に基づいて、上記復調復号部１５から得られるデジタルの映像信号及び音声信号を、記録再生処理部３１によって暗号化や所定の記録フォーマットに変換した後、ディスクドライブ部２９に供給して光ディスク３０に記録させるように制御することができる。
【００２２】
また、この制御部２５は、ユーザによる操作部３５やリモートコントローラ３６の操作に基づいて、ディスクドライブ部２９により光ディスク３０からデジタルの映像信号及び音声信号を読み出させ、上記記録再生処理部３１によって復号化した後、信号処理部１６に供給することによって、以後、上記した映像表示及び音声再生に供させるように制御することができる。
【００２３】
さらに、この制御部２５には、ＨＤＤ（hard disk drive）３２が接続されている。この制御部２５は、ユーザによる操作部３５やリモートコントローラ３６の操作に基づいて、上記復調復号部１５から得られるデジタルの映像信号及び音声信号を、記録再生処理部３１によって暗号化や所定の記録フォーマットに変換した後、ＨＤＤ３２に供給してハードディスク３２ａに記録させるように制御することができる。
【００２４】
また、この制御部２５は、ユーザによる操作部３５やリモートコントローラ３６の操作に基づいて、ＨＤＤ２９によりハードディスク３２ａからデジタルの映像信号及び音声信号を読み出させ、上記記録再生処理部３１によって復号化した後、信号処理部１６に供給することによって、以後、上記した映像表示及び音声再生に供させるように制御することができる。
【００２５】
さらに、上記記録再生処理部３１には、入力端子３３が接続されている。この入力端子３３は、記録再生装置１１の外部からデジタルの映像信号及び音声信号を直接入力するためのものである。この入力端子３３を介して入力されたデジタルの映像信号及び音声信号は、制御部２５の制御に基づいて、記録再生処理部３１を介した後、信号処理部１６に供給されて、以後、上記した映像表示及び音声再生に供される。
【００２６】
また、この入力端子３３を介して入力されたデジタルの映像信号及び音声信号は、制御部２５の制御に基づいて、記録再生処理部３１を介した後、ディスクドライブ部２９による光ディスク３０に対しての記録再生や、ＨＤＤ３２によるハードディスク３２ａに対しての記録再生に供される。
【００２７】
ここにおいて、上記制御部２５は、入力支援部２５ｃを備えている。この入力支援部２５ｃは、詳細は後述するが、上記映像表示部２２の画面上に所定の配列で表示される複数個の入力欄に、ユーザが数字または文字等を順次入力していく場合、ユーザの入力操作が容易化されるように支援する機能を有している。
【００２８】
図２は、上記リモートコントローラ２７の外観を示している。このリモートコントローラ２７には、主として、電源キー２７ａ、チャンネルアップダウンキー２７ｂ、音量調整キー２７ｃ、メニューキー２７ｄ、戻るキー２７ｅ、カーソル上キー２７ｆ、カーソル下キー２７ｇ、カーソル左キー２７ｈ、カーソル右キー２７ｉ、決定キー２７ｊ、終了キー２７ｋ等が設けられている。
【００２９】
また、このリモートコントローラ２７には、上記ディスクドライブ部２９やＨＤＤ３２に対して機能する、再生キー２７ｌ、早戻しキー２７ｍ、早送りキー２７ｎ、停止キー２７ｏ、記録キー２７ｐ、一時停止キー２７ｑ等が設けられている。
【００３０】
ここで、ユーザが、例えばデータ放送を受信して特定地域の情報を入手するために、その地域の郵便番号を入力する場合を考える。この場合、ユーザは、リモートコントローラ２７のメニューキー２７ｄを操作して、階層構造となされた複数のメニュー画面に分け入ることにより、図３に一例を示すような、数字入力画面３４を上記映像表示部２２の画面上に表示させる。
【００３１】
この数字入力画面３４には、それぞれに「空欄」，「０」，「１」，「２」，……，「９」の１１個の数字のうちの１つが入力される７つの入力欄が、画面上で水平方向に一列に配列されている。そして、以下、図中、一番左側の入力欄を先頭または最上位桁の入力欄とし、一番右側の入力欄を末尾また最下位桁の入力欄として、先頭から末尾に向けて各入力欄に順に符号ａ，ｂ，ｃ，ｄ，ｅ，ｆ，ｇを付すことにより、上記入力支援部２５ｃの入力支援機能を用いて各入力欄ａ〜ｇに数字を入力する例について説明する。
【００３２】
図４は、各入力欄ａ〜ｇに数字を入力する際の第１の例を示している。まず、映像表示部２２の画面上に数字入力画面３４が最初に表示されたとき、図４（ａ）に示すように、全ての入力欄ａ〜ｇは空欄であり、先頭の入力欄ａが図中ハッチングで示すように選択された状態となっている。
【００３３】
このような状態で、ユーザがリモートコントローラ２７のカーソル上キー２７ｆを操作すると、操作する毎に、入力欄ａに「０」→「１」→「２」→……→「９」→「空欄」→「０」のように数字が昇順で循環的に順次表示される。また、ユーザがリモートコントローラ２７のカーソル下キー２７ｇを操作すると、操作する毎に、入力欄ａに「０」→「空欄」→「９」→「８」→……→「１」→「０」のように数字が降順で循環的に順次表示される。
【００３４】
そして、図４（ｂ）に示すように、ユーザが入力欄ａに例えば「１」を表示させた状態で、リモートコントローラ２７の決定キー２７ｊを操作すると、入力欄ａに数字「１」が設定されることになる。
【００３５】
このように入力欄ａに所定の数字（この場合「１」）が設定された後、ユーザがリモートコントローラ２７のカーソル右キー２７ｉを操作すると、図４（ｃ）に示すように、先頭の入力欄ａの次に先頭となる入力欄ｂ、つまり、先頭の入力欄ａより１つだけ末尾寄りとなる入力欄ｂが、図中ハッチングで示すように選択され、その入力欄ｂに予め設定された所定の数字（この場合「０」）が自動的に表示される。
【００３６】
このため、ユーザは、入力欄ｂに数字「０」を設定する場合には、そのままリモートコントローラ２７の決定キー２７ｊを操作することにより、入力欄ｂに数字「０」を設定することができる。
【００３７】
また、入力欄ｂに「０」以外の数字を設定する場合、ユーザは、リモートコントローラ２７のカーソル上または下キー２７ｆ，２７ｇを操作することにより、入力欄ｂに表示される数字を自由に変更することができる。そして、ユーザは、入力欄ｂに設定すべき数字が表示されたとき、リモートコントローラ２７の決定キー２７ｊを操作することにより、入力欄ｂに表示されている数字を設定することができる。
【００３８】
入力欄ｂに所定の数字が設定された後、ユーザがリモートコントローラ２７のカーソル右キー２７ｉを操作すると、入力欄ｂの次に先頭となる入力欄ｃ、つまり、入力欄ｂより１つだけ末尾寄りとなる入力欄ｃが選択され、その入力欄ｃに予め設定された所定の数字（この場合も「０」）が自動的に表示される。
【００３９】
この入力欄ｃに表示された数字「０」も、ユーザがリモートコントローラ２７の決定キー２７ｊを操作すればそのまま設定される。また、入力欄ｃに表示された数字「０」は、ユーザがリモートコントローラ２７のカーソル上または下キー２７ｆ，２７ｇを操作すれば自由に変更することができ、ユーザがリモートコントローラ２７の決定キー２７ｊを操作することにより、入力欄ｃに表示されている数字を設定することができる。
【００４０】
以下、残りの入力欄ｄ〜ｇについても、それぞれ、上記と同様に、前（左隣）の入力欄への数字の設定が行なわれた後、ユーザがリモートコントローラ２７のカーソル右キー２７ｉを操作することにより自動的に選択されて所定の数字が表示されるので、ユーザによる数字の選択と設定とを行なうことができる。そして、この操作が繰り返されることにより、全ての入力欄ａ〜ｇに対する数字の設定が完了されることになる。
【００４１】
また、図４（ｂ）に示したように、先頭の入力欄ａに所定の数字（この場合「１」）が設定された後、ユーザがリモートコントローラ２７のカーソル左キー２７ｈを操作した、つまり、先頭（最上位桁）の入力欄ａが選択されている状態でさらに先頭（上位桁）の入力欄を選択する操作が行なわれたとする。
【００４２】
すると、図４（ｄ）に示すように、末尾の入力欄ｇが図中ハッチングで示すように選択されるとともに、その末尾の入力欄ｇが選択されたときに空欄となっていた全ての入力欄（この場合ｂ〜ｇ）に、予め設定された所定の数字（この場合「０」）が自動的に表示される。
【００４３】
このため、ユーザは、入力欄ｂ〜ｇのうち数字「０」を設定すべき入力欄に対しては、リモートコントローラ２７のカーソル左または右キー２７ｈ，２７ｉを操作して、その入力欄を選択し、決定キー２７ｊを操作することにより、数字「０」を設定することができる。
【００４４】
また、入力欄ｂ〜ｇのうち「０」以外の数字を設定すべき入力欄に対しては、ユーザは、リモートコントローラ２７のカーソル左または右キー２７ｈ，２７ｉを操作して入力欄を選択し、その選択した入力欄において、リモートコントローラ２７のカーソル上または下キー２７ｆ，２７ｇを操作して表示される数字を変更する。その後、ユーザは、入力欄に設定すべき数字が表示されたとき、リモートコントローラ２７の決定キー２７ｊを操作して、入力欄に表示されている数字を設定する。
【００４５】
上記した第１の例によれば、先頭（最上位桁）の入力欄ａが選択されている状態でさらに先頭（上位桁）の入力欄を選択する操作が行なわれた場合、末尾の入力欄ｇが選択されるとともに、そのときに空欄となっていた全ての入力欄に、予め設定された所定の数字が自動的に表示されるようにしている。
【００４６】
このように、予め設定した数字を複数の入力欄に一括入力するようにしたことにより、ユーザが同じ数字を複数の入力欄に１つ１つ入力していく操作が不要となり、ユーザの操作を容易化し実用に十分に適するものとすることができる。
【００４７】
図５は、各入力欄ａ〜ｇに数字を入力する際の第２の例を示している。まず、映像表示部２２の画面上に数字入力画面３４が最初に表示されたとき、図５（ａ）に示すように、全ての入力欄ａ〜ｇは空欄であり、末尾の入力欄ｇが図中ハッチングで示すように選択された状態となっている。
【００４８】
このような状態で、ユーザがリモートコントローラ２７のカーソル上キー２７ｆを操作すると、操作する毎に、入力欄ｇに「０」→「１」→「２」→……→「９」→「空欄」→「０」のように数字が昇順で循環的に順次表示される。また、ユーザがリモートコントローラ２７のカーソル下キー２７ｇを操作すると、操作する毎に、入力欄ｇに「０」→「空欄」→「９」→「８」→……→「１」→「０」のように数字が降順で循環的に順次表示される。
【００４９】
そして、図５（ｂ）に示すように、ユーザが入力欄ｇに例えば「１」を表示させた状態で、リモートコントローラ２７の決定キー２７ｊを操作すると、入力欄ｇに数字「１」が設定されることになる。
【００５０】
このように入力欄ｇに所定の数字（この場合「１」）が設定された後、ユーザがリモートコントローラ２７のカーソル左キー２７ｈを操作すると、図５（ｃ）に示すように、末尾の入力欄ｇの次に末尾となる入力欄ｆ、つまり、末尾の入力欄ｇより１つだけ先頭寄りとなる入力欄ｆが、図中ハッチングで示すように選択され、その入力欄ｆに予め設定された所定の数字（この場合「０」）が自動的に表示される。
【００５１】
このため、ユーザは、入力欄ｆに数字「０」を設定する場合には、そのままリモートコントローラ２７の決定キー２７ｊを操作することにより、入力欄ｆに数字「０」を設定することができる。
【００５２】
また、入力欄ｆに「０」以外の数字を設定する場合、ユーザは、リモートコントローラ２７のカーソル上または下キー２７ｆ，２７ｇを操作することにより、入力欄ｆに表示される数字を自由に変更することができる。そして、ユーザは、入力欄ｆに設定すべき数字が表示されたとき、リモートコントローラ２７の決定キー２７ｊを操作することにより、入力欄ｆに表示されている数字を設定することができる。
【００５３】
入力欄ｆに所定の数字が設定された後、ユーザがリモートコントローラ２７のカーソル左キー２７ｈを操作すると、入力欄ｆの次に末尾となる入力欄ｅ、つまり、入力欄ｆより１つだけ先頭寄りとなる入力欄ｅが選択され、その入力欄ｅに予め設定された所定の数字（この場合も「０」）が自動的に表示される。
【００５４】
この入力欄ｅに表示された数字「０」も、ユーザがリモートコントローラ２７の決定キー２７ｊを操作すればそのまま設定される。また、入力欄ｅに表示された数字「０」は、ユーザがリモートコントローラ２７のカーソル上または下キー２７ｆ，２７ｇを操作すれば自由に変更することができ、ユーザがリモートコントローラ２７の決定キー２７ｊを操作することにより、入力欄ｅに表示されている数字を設定することができる。
【００５５】
以下、残りの入力欄ａ〜ｄについても、それぞれ、上記と同様に、後（右隣）の入力欄への数字の設定が行なわれた後、ユーザがリモートコントローラ２７のカーソル左キー２７ｈを操作することにより自動的に選択されて所定の数字が表示されるので、ユーザによる数字の選択と設定とを行なうことができる。そして、この操作が繰り返されることにより、全ての入力欄ａ〜ｇに対する数字の設定が完了されることになる。
【００５６】
また、図５（ｂ）に示したように、末尾の入力欄ｇに所定の数字（この場合「１」）が設定された後、ユーザがリモートコントローラ２７のカーソル右キー２７ｉを操作した、つまり、末尾（最下位桁）の入力欄ｇが選択されている状態でさらに末尾（下位桁）の入力欄を選択する操作が行なわれたとする。
【００５７】
すると、図５（ｄ）に示すように、先頭の入力欄ａが図中ハッチングで示すように選択されるとともに、その先頭の入力欄ａが選択されたときに空欄となっていた全ての入力欄（この場合ａ〜ｆ）に、予め設定された所定の数字（この場合「０」）が自動的に表示される。
【００５８】
このため、ユーザは、入力欄ａ〜ｆのうち数字「０」を設定すべき入力欄に対しては、リモートコントローラ２７のカーソル左または右キー２７ｈ，２７ｉを操作して、その入力欄を選択し、決定キー２７ｊを操作することにより、数字「０」を設定することができる。
【００５９】
また、入力欄ａ〜ｅのうち「０」以外の数字を設定すべき入力欄に対しては、ユーザは、リモートコントローラ２７のカーソル左または右キー２７ｈ，２７ｉを操作して入力欄を選択し、その選択した入力欄において、リモートコントローラ２７のカーソル上または下キー２７ｆ，２７ｇを操作して表示される数字を変更する。その後、ユーザは、入力欄に設定すべき数字が表示されたとき、リモートコントローラ２７の決定キー２７ｊを操作して、入力欄に表示されている数字を設定する。
【００６０】
上記した第２の例によれば、末尾（最下位桁）の入力欄ｇが選択されている状態でさらに末尾（下位桁）の入力欄を選択する操作が行なわれた場合、先頭の入力欄ａが選択されるとともに、そのときに空欄となっていた全ての入力欄に、予め設定された所定の数字が自動的に表示されるようにしている。
【００６１】
このように、予め設定した数字を複数の入力欄に一括入力するようにしたことにより、ユーザが同じ数字を複数の入力欄に１つ１つ入力していく操作が不要となり、ユーザの操作を容易化し実用に十分に適するものとすることができる。
【００６２】
図６は、各入力欄ａ〜ｇに数字を入力する際の第３の例を示している。この第３の例では、基本的な動作は上記した第１の例と同様であるため、ここでは第１の例と異なる部分についてのみ説明する。
【００６３】
すなわち、図６（ａ）に示すように、先頭の入力欄ａが選択され、そこに所定の数字（この場合「１」）が設定された後、ユーザがリモートコントローラ２７のカーソル左キー２７ｈを操作した、つまり、先頭（最上位桁）の入力欄ａが選択されている状態でさらに先頭（上位桁）の入力欄を選択する操作が行なわれたとする。
【００６４】
この場合、図６（ｂ）に示すように、末尾の入力欄ｇが図中ハッチングで示すように選択されるとともに、その末尾の入力欄ｇが選択されたときに空欄となっていた全ての入力欄（この場合ｂ〜ｇ）に、予め設定された所定の数字として、先頭の入力欄ａに設定された数字（この場合「１」）が自動的に表示される。
【００６５】
このため、ユーザは、入力欄ｂ〜ｇのうち数字「１」を設定すべき入力欄に対しては、リモートコントローラ２７のカーソル左または右キー２７ｈ，２７ｉを操作して、その入力欄を選択し、決定キー２７ｊを操作することにより、数字「１」を設定することができる。
【００６６】
また、入力欄ｂ〜ｇのうち「１」以外の数字を設定すべき入力欄に対しては、ユーザは、リモートコントローラ２７のカーソル左または右キー２７ｈ，２７ｉを操作して入力欄を選択し、その選択した入力欄において、リモートコントローラ２７のカーソル上または下キー２７ｆ，２７ｇを操作して表示される数字を変更する。その後、ユーザは、入力欄に設定すべき数字が表示されたとき、リモートコントローラ２７の決定キー２７ｊを操作して、入力欄に表示されている数字を設定する。
【００６７】
さらに、図６（ｃ）に示すように、入力欄ａ，ｅ，ｆ，ｇにそれぞれ数字「５」，「２」，「０」，「０」が設定され、先頭の入力欄ａが選択されているときに、ユーザがリモートコントローラ２７のカーソル左キー２７ｈを操作した、つまり、先頭（最上位桁）の入力欄ａが選択されている状態でさらに先頭（上位桁）の入力欄を選択する操作が行なわれたとする。
【００６８】
この場合、図６（ｄ）に示すように、末尾の入力欄ｇが図中ハッチングで示すように選択されるとともに、その末尾の入力欄ｇが選択されたときに空欄となっていた全ての入力欄（この場合ｂ，ｃ，ｄ）に、予め設定された所定の数字として、先頭の入力欄ａに設定された数字（この場合「５」）が自動的に表示される。
【００６９】
このため、ユーザは、入力欄ｂ，ｃ，ｄのうち数字「５」を設定すべき入力欄に対しては、リモートコントローラ２７のカーソル左または右キー２７ｈ，２７ｉを操作して、その入力欄を選択し、決定キー２７ｊを操作することにより、数字「１」を設定することができる。
【００７０】
また、入力欄ｂ，ｃ，ｄのうち「５」以外の数字を設定すべき入力欄に対しては、ユーザは、リモートコントローラ２７のカーソル左または右キー２７ｈ，２７ｉを操作して入力欄を選択し、その選択した入力欄において、リモートコントローラ２７のカーソル上または下キー２７ｆ，２７ｇを操作して表示される数字を変更する。その後、ユーザは、入力欄に設定すべき数字が表示されたとき、リモートコントローラ２７の決定キー２７ｊを操作して、入力欄に表示されている数字を設定する。
【００７１】
上記した第３の例によれば、先頭（最上位桁）の入力欄ａが選択され、そこに所定の数字が設定された状態で、さらに先頭（上位桁）の入力欄を選択する操作が行なわれた場合、末尾の入力欄ｇが選択されるとともに、そのときに空欄となっていた全ての入力欄に、先頭の入力欄ａに設定された数字が自動的に表示されるようにしている。
【００７２】
このように、予め設定した数字を複数の入力欄に一括入力するようにしたことにより、ユーザが同じ数字を複数の入力欄に１つ１つ入力していく操作が不要となり、ユーザの操作を容易化し実用に十分に適するものとすることができる。
【００７３】
図７は、各入力欄ａ〜ｇに数字を入力する際の第４の例を示している。この第４の例では、基本的な動作は上記した第２の例と同様であるため、ここでは第２の例と異なる部分についてのみ説明する。
【００７４】
すなわち、図７（ａ）に示すように、末尾の入力欄ｇが選択され、そこに所定の数字（この場合「１」）が設定された後、ユーザがリモートコントローラ２７のカーソル右キー２７ｉを操作した、つまり、末尾（最下位桁）の入力欄ｇが選択されている状態でさらに末尾（下位桁）の入力欄を選択する操作が行なわれたとする。
【００７５】
この場合、図７（ｂ）に示すように、先頭の入力欄ａが図中ハッチングで示すように選択されるとともに、その先頭の入力欄ａが選択されたときに空欄となっていた全ての入力欄（この場合ａ〜ｆ）に、予め設定された所定の数字として、末尾の入力欄ｇに設定された数字（この場合「１」）が自動的に表示される。
【００７６】
このため、ユーザは、入力欄ａ〜ｆのうち数字「１」を設定すべき入力欄に対しては、リモートコントローラ２７のカーソル左または右キー２７ｈ，２７ｉを操作して、その入力欄を選択し、決定キー２７ｊを操作することにより、数字「１」を設定することができる。
【００７７】
また、入力欄ａ〜ｆのうち「１」以外の数字を設定すべき入力欄に対しては、ユーザは、リモートコントローラ２７のカーソル左または右キー２７ｈ，２７ｉを操作して入力欄を選択し、その選択した入力欄において、リモートコントローラ２７のカーソル上または下キー２７ｆ，２７ｇを操作して表示される数字を変更する。その後、ユーザは、入力欄に設定すべき数字が表示されたとき、リモートコントローラ２７の決定キー２７ｊを操作して、入力欄に表示されている数字を設定する。
【００７８】
さらに、図７（ｃ）に示すように、入力欄ａ，ｂ，ｃ，ｇにそれぞれ数字「２」，「０」，「０」，「５」が設定され、末尾の入力欄ｇが選択されているときに、ユーザがリモートコントローラ２７のカーソル右キー２７ｉを操作した、つまり、末尾（最下位桁）の入力欄ｇが選択されている状態でさらに末尾（下位桁）の入力欄を選択する操作が行なわれたとする。
【００７９】
この場合、図７（ｄ）に示すように、先頭の入力欄ａが図中ハッチングで示すように選択されるとともに、その先頭の入力欄ａが選択されたときに空欄となっていた全ての入力欄（この場合ｄ，ｅ，ｆ）に、予め設定された所定の数字として、末尾の入力欄ｇに設定された数字（この場合「５」）が自動的に表示される。
【００８０】
このため、ユーザは、入力欄ｄ，ｅ，ｆのうち数字「５」を設定すべき入力欄に対しては、リモートコントローラ２７のカーソル左または右キー２７ｈ，２７ｉを操作して、その入力欄を選択し、決定キー２７ｊを操作することにより、数字「１」を設定することができる。
【００８１】
また、入力欄ｄ，ｅ，ｆのうち「５」以外の数字を設定すべき入力欄に対しては、ユーザは、リモートコントローラ２７のカーソル左または右キー２７ｈ，２７ｉを操作して入力欄を選択し、その選択した入力欄において、リモートコントローラ２７のカーソル上または下キー２７ｆ，２７ｇを操作して表示される数字を変更する。その後、ユーザは、入力欄に設定すべき数字が表示されたとき、リモートコントローラ２７の決定キー２７ｊを操作して、入力欄に表示されている数字を設定する。
【００８２】
上記した第４の例によれば、末尾（最下位桁）の入力欄ｇが選択され、そこに所定の数字が設定された状態で、さらに末尾（下位桁）の入力欄を選択する操作が行なわれた場合、先頭の入力欄ａが選択されるとともに、そのときに空欄となっていた全ての入力欄に、末尾の入力欄ｇに設定された数字が自動的に表示されるようにしている。
【００８３】
このように、予め設定した数字を複数の入力欄に一括入力するようにしたことにより、ユーザが同じ数字を複数の入力欄に１つ１つ入力していく操作が不要となり、ユーザの操作を容易化し実用に十分に適するものとすることができる。
【００８４】
図８は、各入力欄ａ〜ｇに数字を入力する際の第５の例を示している。この第５の例では、基本的な動作は上記した第３及び第４の例と同様であるため、ここでは第３及び第４の例と異なる部分についてのみ説明する。
【００８５】
すなわち、図８（ａ）に示すように、入力欄ａ，ｂ，ｃにそれぞれ数字「２」，「０」，「０」が設定され、先頭の入力欄ａが選択されているときに、ユーザがリモートコントローラ２７のカーソル左キー２７ｈを操作した、つまり、先頭（最上位桁）の入力欄ａが選択されている状態でさらに先頭（上位桁）の入力欄を選択する操作が行なわれたとする。
【００８６】
この場合、図８（ｂ）に示すように、末尾の入力欄ｇが図中ハッチングで示すように選択されるとともに、その末尾の入力欄ｇが選択されたときに空欄となっていた全ての入力欄（この場合ｄ，ｅ，ｆ，ｇ）に、先頭の入力欄ａに設定された数字（この場合「２」）が自動的に表示される。
【００８７】
このように、末尾の入力欄ｇが選択されている状態で、図８（ｃ）に示すように、ユーザが入力欄ｇを空欄とした後、リモートコントローラ２７のカーソル右キー２７ｉを操作した、つまり、末尾（最下位桁）の入力欄ｇが選択されている状態でさらに末尾（下位桁）の入力欄を選択する操作が行なわれたとする。
【００８８】
この場合、図８（ｄ）に示すように、先頭の入力欄ａが図中ハッチングで示すように選択されるとともに、先に先頭の入力欄ａに設定された数字「２」が表示されていた入力欄ｄ，ｅ，ｆが元の空欄に戻される。
【００８９】
また、このように、先頭の入力欄ａが選択されている状態で、図８（ｅ）に示すように、ユーザが入力欄ａを空欄とした後、リモートコントローラ２７のカーソル左キー２７ｈを操作した、つまり、先頭（最上位桁）の入力欄ａが選択されている状態でさらに先頭（上位桁）の入力欄を選択する操作が行なわれたとする。この場合、図８（ｆ）に示すように、末尾の入力欄ｇが図中ハッチングで示すように選択されるとともに、入力欄ｂ，ｃが元の空欄に戻される。
【００９０】
上記した第５の例によれば、複数の入力欄に予め設定された数字を一括して入力するとともに、数字を一括入力した入力欄を一括して空欄に戻すことができるようにしているため、ユーザの操作を容易化し実用に十分に適するものとすることができる。
【００９１】
次に、先頭の入力欄ａが選択されているとき、さらに先頭の入力欄を選択する操作が行なわれたことにより末尾の入力欄が選択された状態、または、末尾の入力欄ｇが選択されているとき、さらに末尾の入力欄を選択する操作が行なわれたことにより先頭の入力欄が選択された状態で、そのときに空欄となっている複数の入力欄に表示させるべき所定の数字を設定することについて説明する。
【００９２】
この場合、ユーザは、リモートコントローラ２７のメニューキー２７ｄを操作して、階層構造となされた複数のメニュー画面に分け入ることにより、図９に一例を示すような、入力指定画面３５を上記映像表示部２２の画面上に表示させる。この入力指定画面３５には、「０入力指定」、「両端部入力指定」、「指定値入力」なる３つの項目３５ａ，３５ｂ，３５ｃが表示されている。
【００９３】
ユーザは、リモートコントローラ２７のカーソル上または下キー２７ｆ，２７ｇを操作していずれかの項目３５ａ〜３５ｃを選択し決定キー２７ｊを操作することにより、空欄となっている複数の入力欄に表示させるべき所定の数字を設定することができる。
【００９４】
このうち、「０入力指定」の項目３５ａが選択され決定されると、先頭の入力欄ａが選択されている状態で、さらに先頭の入力欄を選択する操作が行なわれたことにより末尾の入力欄が選択されたとき、または、末尾の入力欄ｇが選択されている状態で、さらに末尾の入力欄を選択する操作が行なわれたことにより先頭の入力欄ａが選択されたときに、空欄となっている複数の入力欄に表示させるべき所定の数字は「０」となる。
【００９５】
また、「両端部入力指定」の項目３５ｂが選択され決定されると、先頭の入力欄ａが選択されている状態で、さらに先頭の入力欄を選択する操作が行なわれたことにより末尾の入力欄が選択されたときに、空欄となっている複数の入力欄に表示され所定の数字は、先頭の入力欄ａに設定されている数字となる。これに対し、末尾の入力欄ｇが選択されている状態で、さらに末尾の入力欄を選択する操作が行なわれたことにより先頭の入力欄ａが選択されたときに、空欄となっている複数の入力欄に表示される所定の数字は、末尾の入力欄ｇに設定されている数字となる。
【００９６】
さらに、「指定値入力」の項目３５ｃが選択され決定されると、先頭の入力欄ａが選択されている状態で、さらに先頭の入力欄を選択する操作が行なわれたことにより末尾の入力欄が選択されたとき、または、末尾の入力欄ｇが選択されている状態で、さらに末尾の入力欄を選択する操作が行なわれたことにより先頭の入力欄ａが選択されたときに、空欄となっている複数の入力欄に表示される所定の数字を、ユーザが設定することができる。
【００９７】
すなわち、「指定値入力」の項目３５ｃが選択され決定されると、図１０に一例を示すような、数字設定画面３６が上記映像表示部２２の画面上に表示される。この数字設定画面３６には、数字表示部３６ａが表示されている。そして、ユーザがリモートコントローラ２７のカーソル上キー２７ｆを操作すると、操作する毎に、入力欄ａに「０」→「１」→「２」→……→「９」→「空欄」→「０」のように数字が昇順で循環的に順次表示される。
【００９８】
また、ユーザがリモートコントローラ２７のカーソル下キー２７ｇを操作すると、操作する毎に、入力欄ａに「０」→「空欄」→「９」→「８」→……→「１」→「０」のように数字が降順で循環的に順次表示される。そして、ユーザが数字表示部３６ａ所定の数字を表示させた状態で、リモートコントローラ２７の決定キー２７ｊを操作すると、その数字が設定されることになる。
【００９９】
なお、「指定値入力」の項目３５ｃが選択され決定された場合、図１１に一例を示すような、入力設定画面３７を上記映像表示部２２の画面上に表示させるようにすることもできる。この入力設定画面３７には、数字だけでなく、英文字や各種の符号等も表示されている。
【０１００】
ユーザは、リモートコントローラ２７のカーソル上、下、左、右キー２７ｆ〜２７ｉを操作して所望の数字、英文字または符号等を選択し、決定キー２７ｊを操作することにより設定される。これにより、数字だけでなく英文字や各種の符号等も、空欄となっている複数の入力欄への一括入力に使用することが可能となる。
【０１０１】
また、先に図３で示した郵便番号を入力する数字入力画面３４のように、入力する内容が数字だけでなく英文字や各種の符号等も含むような場合には、その入力画面から、上記した入力指定画面３５の「指定値入力」なる項目３５ｃを経由することなく、図１１に示した入力設定画面３７を表示させて入力を行なうことができる。
【０１０２】
そして、数字、英文字や各種の符号等を入力する場合、上記した第１乃至第５の例で示した入力形態を、相互に矛盾が生じない範囲で種々組み合わせて利用することができることはもちろんである。
【０１０３】
図１２は、上記した入力支援部２５ｃが行なう入力支援動作をまとめたフローチャートを示している。なお、図１２においては、数字を入力する場合についての動作を説明しているが、これは、数字に限らず英文字や各種の符号等を入力する場合であっても同様に動作説明ができることは言うまでもないことである。
【０１０４】
すなわち、処理が開始（ステップＳ１）されると、入力支援部２５ｃは、ステップＳ２で、先頭の入力欄が選択されている状態で、さらに先頭の入力欄を選択する操作が行なわれたことにより末尾の入力欄が選択されたとき、または、末尾の入力欄が選択されている状態で、さらに末尾の入力欄を選択する操作が行なわれたことにより先頭の入力欄が選択されたときに、空欄となっている複数の入力欄に自動的に表示させるべき所定の数字が既に設定されているか否かを判別する。
【０１０５】
そして、設定されていないと判断された場合（ＮＯ）、入力支援部２５ｃは、ステップＳ３で、ユーザが数字を設定するまで待機する。この場合、入力支援部２５ｃとしては、例えば図３に示した数字入力画面３４が表示された時点で、空欄となっている入力欄に自動的に表示させる数字が設定されていない場合、ユーザに数字を設定するようにメッセージを表示させることもできる。
【０１０６】
このようにして上記ステップＳ３で数字が設定された場合、または、上記ステップＳ２で既に数字が設定されていると判断された場合（ＹＥＳ）、入力支援部２５ｃは、ステップＳ４で、現在選択されている入力欄が先頭の入力欄であるか否かを判別する。
【０１０７】
そして、先頭の入力欄が選択されていると判断された場合（ＹＥＳ）、入力支援部２５ｃは、ステップＳ５で、カーソル左キー２７ｈが操作されたか否か、つまり、先頭の入力欄が選択されている状態でさらに先頭の入力欄を選択する操作が行なわれたか否かを判別する。
【０１０８】
ここで、カーソル左キー２７ｈが操作されたと判断された場合（ＹＥＳ）、入力支援部２５ｃは、ステップＳ６で、末尾の入力欄を選択し、そのとき空欄となっている全ての入力欄に予め設定されている数字を表示して、ステップＳ２の処理に戻される。
【０１０９】
また、上記ステップＳ４で先頭の入力欄が選択されていないと判断された場合（ＮＯ）、入力支援部２５ｃは、ステップＳ７で、現在選択されている入力欄が末尾の入力欄であるか否かを判別する。
【０１１０】
そして、末尾の入力欄が選択されていると判断された場合（ＹＥＳ）、入力支援部２５ｃは、ステップＳ８で、カーソル右キー２７ｉが操作されたか否か、つまり、末尾の入力欄が選択されている状態でさらに末尾の入力欄を選択する操作が行なわれたか否かを判別する。
【０１１１】
ここで、カーソル右キー２７ｉが操作されたと判断された場合（ＹＥＳ）、入力支援部２５ｃは、ステップＳ９で、先頭の入力欄を選択し、そのとき空欄となっている全ての入力欄に予め設定されている数字を表示して、ステップＳ２の処理に戻される。
【０１１２】
また、上記ステップＳ５でカーソル左キー２７ｈが操作されていないと判断された場合（ＮＯ）、上記ステップＳ７で末尾の入力欄が選択されていないと判断された場合（ＮＯ）、または、上記ステップＳ８でカーソル右キー２７ｉが操作されていないと判断された場合（ＮＯ）、入力支援部２５ｃは、ステップＳ１０で、現在選択している入力欄を選択したまま待機状態となり、ステップＳ２の処理に戻される。この待機状態においては、カーソル右キー２７ｉが操作される毎に下位桁（右隣）の入力欄が順次選択され、カーソル左キー２７ｈが操作される毎に上位桁（左隣）の入力欄が順次選択されようになる。
【０１１３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【０１１４】
１１…記録再生装置、１２…アンテナ、１３…入力端子、１４…チューナ部、１５…復調復号部、１６…信号処理部、１７…グラフィック処理部、１８…音声処理部、１９…ＯＳＤ信号生成部、２０…映像処理部、２１…出力端子、２２…映像表示部、２３…出力端子、２４…スピーカ、２５…制御部、２５ａ…ＣＰＵ、２５ｂ…メモリ部、２５ｃ…入力支援部、２６…操作部、２７…リモートコントローラ、２８…受信部、２９…ディスクドライブ部、３０…光ディスク、３１…記録再生処理部、３２…ＨＤＤ、３２ａ…ハードディスク、３３…入力端子、３４…数字入力画面、３５…入力指定画面、３５ａ〜３５ｃ…項目、３６…数字設定画面、３７…入力設定画面。
【図１】
2011028511.tif 000003
【図２】
2011028511.tif 000004
【図３】
2011028511.tif 000005
【図４】
2011028511.tif 000006
【図５】
2011028511.tif 000007
【図６】
2011028511.tif 000008
【図７】
2011028511.tif 000009
【図８】
2011028511.tif 000010
【図９】
2011028511.tif 000011
【図１０】
2011028511.tif 000012
【図１１】
2011028511.tif 000013
【図１２】
2011028511.tif 000014
【手続補正書】
【提出日】平成22年6月18日(2010.6.18)
【手続補正１】
【補正対象書類名】明細書
【補正対象項目名】０００７
【補正方法】変更
【補正の内容】
【０００７】
この発明に係る入力支援装置は、先頭となる入力欄と末尾となる入力欄とを含む複数の入力欄を表示する表示手段と、表示手段に表示された複数の入力欄を末尾から先頭または先頭から末尾に向けて順次選択する選択手段と、選択された入力欄に数字、文字または符号を入力する入力手段と、先頭の入力欄が選択された状態で、選択手段により先頭の入力欄の選択が要求されたとき、末尾の入力欄を選択するとともに、空き入力欄に所定の数字、文字または符号を一括して自動的に表示する支援手段とを備えるようにしたものである。
【手続補正２】
【補正対象書類名】明細書
【補正対象項目名】０００８
【補正方法】変更
【補正の内容】
【０００８】
また、この発明に係る入力支援装置は、先頭となる入力欄と末尾となる入力欄とを含む複数の入力欄を表示する表示手段と、表示手段に表示された複数の入力欄を末尾から先頭または先頭から末尾に向けて順次選択する選択手段と、選択された入力欄に数字、文字または符号を入力する入力手段と、末尾の入力欄が選択された状態で、選択手段によりさらに末尾方向への入力欄の選択が要求されたとき、先頭の入力欄を選択するとともに、空き入力欄に所定の数字、文字または符号を自動的に一括表示する支援手段とを備えるようにしたものである。
【手続補正３】
【補正対象書類名】明細書
【補正対象項目名】０００９
【補正方法】変更
【補正の内容】
【０００９】
さらに、この発明に係る入力支援方法は、先頭となる入力欄と末尾となる入力欄とを含む複数の入力欄を表示し、表示された複数の入力欄を先頭から末尾または末尾から先頭に向けて順次選択し、選択された入力欄に数字、文字または符号を入力し、先頭の入力欄が選択された状態で、さらに先頭方向への入力欄の選択が要求されたとき、末尾の入力欄を選択するとともに、空き入力欄に所定の数字、文字または符号を自動的に一括表示し、末尾の入力欄が選択された状態で、さらに末尾方向への入力欄の選択が要求されたとき、先頭の入力欄を選択するとともに、空き入力欄に所定の数字、文字または符号を自動的に一括表示するようにしたものである。
【手続補正４】
【補正対象書類名】特許請求の範囲
【補正対象項目名】全文
【補正方法】変更
【補正の内容】
【特許請求の範囲】
【請求項１】
先頭となる入力欄と末尾となる入力欄とを含む複数の入力欄を表示する表示手段と、
前記表示手段に表示された複数の入力欄を末尾から先頭または先頭から末尾に向けて順次選択する選択手段と、
選択された入力欄に数字、文字または符号を入力する入力手段と、
先頭の入力欄が選択された状態で、前記選択手段により先頭の入力欄の選択が要求されたとき、末尾の入力欄を選択するとともに、空き入力欄に所定の数字、文字または符号を一括して自動的に表示する支援手段とを具備する入力支援装置。
【請求項２】
前記支援手段は、一括表示する数字、文字または符号を予め設定するための設定手段を備える請求項１記載の入力支援装置。
【請求項３】
前記支援手段は、先頭の入力欄に表示された数字、文字または符号を一括表示する請求項１記載の入力支援装置。
【請求項４】
前記入力手段は、選択された入力欄を空欄にし、
前記支援手段は、選択された末尾の入力欄が空欄にされた状態で、前記選択手段によりさらに末尾方向への入力欄の選択が要求されたとき、先頭の入力端を選択するとともに、末尾の入力欄が選択されたとき入力欄を空欄にする請求項３記載の入力支援装置。
【請求項５】
先頭となる入力欄と末尾となる入力欄とを含む複数の入力欄を表示する表示手段と、
前記表示手段に表示された複数の入力欄を末尾から先頭または先頭から末尾に向けて順次選択する選択手段と、
選択された入力欄に数字、文字または符号を入力する入力手段と、
末尾の入力欄が選択された状態で、前記選択手段によりさらに末尾方向への入力欄の選択が要求されたとき、先頭の入力欄を選択するとともに、空き入力欄に所定の数字、文字または符号を自動的に一括表示する支援手段とを具備する入力支援装置。
【請求項６】
前記支援手段は、一括表示する数字、文字または符号を予め設定するための設定手段を備える請求項５記載の入力支援装置。
【請求項７】
前記支援手段は、末尾の入力欄に表示された数字、文字または符号を一括表示する請求項５記載の入力支援装置。
【請求項８】
前記入力手段は、選択された入力欄を空欄にし、
前記支援手段は、選択された先頭の入力欄が空欄にされた状態で、前記選択手段によりさらに先頭方向への入力欄の選択が要求されたとき、末尾の入力端を選択するとともに、先頭の入力欄が選択されたとき選択された入力欄を空欄にする請求項７記載の入力支援装置。
【請求項９】
先頭となる入力欄と末尾となる入力欄とを含む複数の入力欄を表示し、
表示された複数の入力欄を先頭から末尾または末尾から先頭に向けて順次選択し、
選択された入力欄に数字、文字または符号を入力し、
先頭の入力欄が選択された状態で、さらに先頭方向への入力欄の選択が要求されたとき、末尾の入力欄を選択するとともに、空き入力欄に所定の数字、文字または符号を自動的に一括表示し、
末尾の入力欄が選択された状態で、さらに末尾方向への入力欄の選択が要求されたとき、先頭の入力欄を選択するとともに、空き入力欄に所定の数字、文字または符号を自動的に一括表示する入力支援方法。
【手続補正書】
【提出日】平成22年9月8日(2010.9.8)
【手続補正１】
【補正対象書類名】明細書
【補正対象項目名】０００７
【補正方法】変更
【補正の内容】
【０００７】
この発明に係る入力支援装置は、先頭となる入力欄と末尾となる入力欄とを含む複数の入力欄を表示する表示手段と、表示手段に表示された複数の入力欄を末尾から先頭または先頭から末尾に向けて順次選択する選択手段と、選択された入力欄に数字、文字または符号を入力する入力手段と、先頭の入力欄が選択された状態で、選択手段によりさらに先頭方向への入力欄の選択が要求されたとき、末尾の入力欄を選択するとともに、空き入力欄に所定の数字、文字または符号を一括して自動的に表示する支援手段とを備えるようにしたものである。
【手続補正２】
【補正対象書類名】明細書
【補正対象項目名】０００９
【補正方法】変更
【補正の内容】
【０００９】
さらに、この発明に係る入力支援方法は、先頭となる入力欄と末尾となる入力欄とを含む複数の入力欄を表示する工程と、表示された複数の入力欄を先頭から末尾または末尾から先頭に向けて順次選択する操作を行なう工程と、選択された入力欄に数字、文字または符号を選択して入力する操作を行なう工程と、先頭の入力欄が選択された状態で、さらに先頭方向への入力欄の選択を要求する操作がなされたとき、末尾の入力欄を選択するとともに、空き入力欄に所定の数字、文字または符号を自動的に一括表示する工程と、末尾の入力欄が選択された状態で、さらに末尾方向への入力欄の選択を要求する操作がなされたとき、先頭の入力欄を選択するとともに、空き入力欄に所定の数字、文字または符号を自動的に一括表示する工程とを有するようにしたものである。
【手続補正３】
【補正対象書類名】特許請求の範囲
【補正対象項目名】全文
【補正方法】変更
【補正の内容】
【特許請求の範囲】
【請求項１】
先頭となる入力欄と末尾となる入力欄とを含む複数の入力欄を表示する表示手段と、
前記表示手段に表示された複数の入力欄を末尾から先頭または先頭から末尾に向けて順次選択する選択手段と、
選択された入力欄に数字、文字または符号を入力する入力手段と、
先頭の入力欄が選択された状態で、前記選択手段によりさらに先頭方向への入力欄の選択が要求されたとき、末尾の入力欄を選択するとともに、空き入力欄に所定の数字、文字または符号を一括して自動的に表示する支援手段とを具備する入力支援装置。
【請求項２】
前記支援手段は、一括表示する数字、文字または符号を予め設定するための設定手段を備える請求項１記載の入力支援装置。
【請求項３】
前記支援手段は、先頭の入力欄に表示された数字、文字または符号を一括表示する請求項１記載の入力支援装置。
【請求項４】
前記入力手段は、選択された入力欄を空欄にする入力を可能とし、
前記支援手段は、選択された末尾の入力欄が空欄にされた状態で、前記選択手段によりさらに末尾方向への入力欄の選択が要求されたとき、先頭の入力欄を選択するとともに、末尾の入力欄が選択されたときに所定の数字、文字または符号が一括表示された入力欄を空欄にする請求項３記載の入力支援装置。
【請求項５】
先頭となる入力欄と末尾となる入力欄とを含む複数の入力欄を表示する表示手段と、
前記表示手段に表示された複数の入力欄を末尾から先頭または先頭から末尾に向けて順次選択する選択手段と、
選択された入力欄に数字、文字または符号を入力する入力手段と、
末尾の入力欄が選択された状態で、前記選択手段によりさらに末尾方向への入力欄の選択が要求されたとき、先頭の入力欄を選択するとともに、空き入力欄に所定の数字、文字または符号を自動的に一括表示する支援手段とを具備する入力支援装置。
【請求項６】
前記支援手段は、一括表示する数字、文字または符号を予め設定するための設定手段を備える請求項５記載の入力支援装置。
【請求項７】
前記支援手段は、先頭の入力欄に表示された数字、文字または符号を一括表示する請求項５記載の入力支援装置。
【請求項８】
前記入力手段は、選択された入力欄を空欄にする入力を可能とし、
前記支援手段は、選択された先頭の入力欄が空欄にされた状態で、前記選択手段によりさらに先頭方向への入力欄の選択が要求されたとき、末尾の入力欄を選択するとともに、先頭の入力欄が選択されたときに所定の数字、文字または符号が一括表示された入力欄を空欄にする請求項７記載の入力支援装置。
【請求項９】
先頭となる入力欄と末尾となる入力欄とを含む複数の入力欄を表示する工程と、
表示された複数の入力欄を先頭から末尾または末尾から先頭に向けて順次選択する操作を行なう工程と、
選択された入力欄に数字、文字または符号を選択して入力する操作を行なう工程と、
先頭の入力欄が選択された状態で、さらに先頭方向への入力欄の選択を要求する操作がなされたとき、末尾の入力欄を選択するとともに、空き入力欄に所定の数字、文字または符号を自動的に一括表示する工程と、
末尾の入力欄が選択された状態で、さらに末尾方向への入力欄の選択を要求する操作がなされたとき、先頭の入力欄を選択するとともに、空き入力欄に所定の数字、文字または符号を自動的に一括表示する工程とを有する入力支援方法。
【手続補正書】
【提出日】平成22年11月19日(2010.11.19)
【手続補正２】
【補正対象書類名】明細書
【補正対象項目名】０００１
【補正方法】変更
【補正の内容】
【０００１】
この発明は、予め所定の配列で表示されている複数個の入力欄に数字または文字等を順次入力していく操作を支援するための入力支援装置に関する。
【手続補正３】
【補正対象書類名】明細書
【補正対象項目名】０００６
【補正方法】変更
【補正の内容】
【０００６】
そこで、この発明は上記事情を考慮してなされたもので、予め所定の配列で表示されている複数個の入力欄に数字または文字等を順次入力していく際、予め設定した数字または文字等を複数の入力欄に一括入力することを可能として、ユーザの操作を容易化し実用に十分に適するようにした入力支援装置を提供することを目的とする。
【手続補正４】
【補正対象書類名】明細書
【補正対象項目名】０００９
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
先頭となる入力欄と末尾となる入力欄とを含む複数の入力欄を表示する表示手段と、
前記表示手段に表示された複数の入力欄を末尾から先頭または先頭から末尾に向けて順次選択する選択手段と、
選択された入力欄に数字、文字または符号を入力する入力手段と、
先頭の入力欄が選択された状態で、前記選択手段によりさらに先頭方向への入力欄の選択が要求されたとき、末尾の入力欄を選択するとともに、空き入力欄に所定の数字、文字または符号を一括して自動的に表示する支援手段とを具備する入力支援装置。
【請求項２】
前記支援手段は、一括表示する数字、文字または符号を予め設定するための設定手段を備える請求項１記載の入力支援装置。
【請求項３】
前記支援手段は、先頭の入力欄に表示された数字、文字または符号を一括表示する請求項１記載の入力支援装置。
【請求項４】
前記入力手段は、選択された入力欄を空欄にする入力を可能とし、
前記支援手段は、選択された末尾の入力欄が空欄にされた状態で、前記選択手段によりさらに末尾方向への入力欄の選択が要求されたとき、先頭の入力欄を選択するとともに、末尾の入力欄が選択されたときに所定の数字、文字または符号が一括表示された入力欄を空欄にする請求項３記載の入力支援装置。
【請求項５】
先頭となる入力欄と末尾となる入力欄とを含む複数の入力欄を表示する表示手段と、
前記表示手段に表示された複数の入力欄を末尾から先頭または先頭から末尾に向けて順次選択する選択手段と、
選択された入力欄に数字、文字または符号を入力する入力手段と、
末尾の入力欄が選択された状態で、前記選択手段によりさらに末尾方向への入力欄の選択が要求されたとき、先頭の入力欄を選択するとともに、空き入力欄に所定の数字、文字または符号を自動的に一括表示する支援手段とを具備する入力支援装置。
【請求項６】
前記支援手段は、一括表示する数字、文字または符号を予め設定するための設定手段を備える請求項５記載の入力支援装置。
【請求項７】
前記支援手段は、先頭の入力欄に表示された数字、文字または符号を一括表示する請求項５記載の入力支援装置。
【請求項８】
前記入力手段は、選択された入力欄を空欄にする入力を可能とし、
前記支援手段は、選択された先頭の入力欄が空欄にされた状態で、前記選択手段によりさらに先頭方向への入力欄の選択が要求されたとき、末尾の入力欄を選択するとともに、先頭の入力欄が選択されたときに所定の数字、文字または符号が一括表示された入力欄を空欄にする請求項７記載の入力支援装置。